(57)【要約】【課題】災害の種類が多い場合にも対応可能な、災害時には、当該災害の通報に基づき、該当する災害原因および地域のパターンの組合せによって、ユーザに適切な範囲の情報を提供する火災情報管理装置を得る。【解決手段】現況収集部６に到来した災害情報から作成した災害通報を、災害現況ＤＢ部３にて蓄積するとともに災害原因・地域を含むトリガー信号をパターン蓄積部７に送信する。これを受けて、パターン蓄積部７は、原因および地域ごとに用意された検索パターンと表示パターンを選択して送信する。検索部２は当該検索パターンにより、災害現況ＤＢ部３，災害ＤＢ部４および平時現況ＤＢ部５を検索し、検索結果を得て、災害表示部１に送信する。災害表示部１は、パターン蓄積部７からの表示パターンに従って、検索部２からの検索結果を表示する。【選択図】        図１
2005031772.tif 000002
【特許請求の範囲】
【請求項１】
災害情報を入力し、前記災害情報に時刻情報を追加して出力する現況収集部と、
前記現況収集部からの災害通報を蓄積し、災害原因および災害発生地域を含むトリガー信号を出力する災害現況データベース部と、
既往災害に関する情報を記録した既往災害データベースと、想定される災害に関する予測情報を記録した災害予測データベースとを備えた災害データベース部と、
平時の情報を記録した平時現況データベース部と、
１以上の表示パターンおよび検索パターンを災害原因および災害発生地域と対応づけて蓄積するとともに、前記災害現況データベース部からの前記トリガー信号を受け付けて、前記表示パターンおよび検索パターンから前記トリガー信号に含まれている災害原因および災害発生地域の情報に対応する表示パターンおよび検索パターンを選択し出力するパターン蓄積部と、
前記パターン蓄積部から出力された前記検索パターンを受け付けて、前記検索パターンに含まれる検索条件を用いて、前記災害現況データベース部、前記災害データベース部および前記平時現況データベース部から検索結果を獲得するとともに、前記検索パターンと前記検索結果とを対応させて蓄積し、前記検索結果を災害関連情報として送付する検索部と、
前記検索部からの前記災害関連情報を受け付けるとともに、前記パターン蓄積部からの表示パターンを受け付けて、前記災害関連情報を前記表示パターンに従って表示する災害表示部と
を備えたことを特徴とする災害情報管理装置。
【請求項２】
前記平時現況データベース部は、外部情報を検索する外部情報検索手段をさらに有することを特徴とする請求項１に記載の災害情報管理装置。
【請求項３】
前記現況収集部は、入力された災害情報に欠落があった場合に、該欠落を検出して補足する情報補足手段を有することを特徴とする請求項１または２に記載の災害情報管理装置。
【発明の詳細な説明】
【０００１】
【発明の属する技術分野】
この発明は災害情報管理装置に関し、特に、火事、地震、洪水等の種々の災害に関する情報を管理する災害情報管理装置に関する。
【０００２】
【従来の技術】
従来のデータベースシステムによれば、地図上の任意の点を指定するだけで、その点が含まれる行政区分に関連する情報を一括して検索や登録ができる（例えば、特許文献１参照。）。
【０００３】
また、従来の降雨洪水予測システムによれば、洪水予測処理端末から予測要求を受け付け、降雨予測データを参照し、洪水予測を表示できる。また、当該システムによれば、降雨予測データを保持して洪水予測処理端末へ配信できる（例えば、特許文献２参照。）。
【０００４】
また、従来のＷＥＢ災害情報公開システムによれば、災害の発生時・緊急時に災害情報公開用のウェブページを、事前に定めたテンプレートに従って自動生成する（例えば、特許文献３参照。）。
【０００５】
また、従来の電話番号取得装置によれば、発信者の電話番号を取得することにより、発信者を特定する情報を関連情報とともに表示することができる（特許文献４参照。）。
【０００６】
また、従来の災害時意思決定支援装置によれば、災害に際して事前に用意した防災計画ルールの該当箇所を自動的に選択して提示することができる（例えば、特許文献５参照。）。
【０００７】
また、従来の取材場所特定装置によれば、映像記録と位置情報とを相互に不可分の関係をもって記録媒体に記録する（例えば、特許文献６参照。）。
【０００８】
また、従来の電子メールシステムによれば、電子メールに自動的に発信位置のデータを折り込める（例えば、特許文献７参照。）。
【０００９】
また、従来のサービスシステムによれば、発信者を識別するコードおよび乱数によって、発信者を特定し情報の信頼性を保証できる（例えば、特許文献８参照。）。
【００１０】
【特許文献１】
特開平１１―１６１６７８号公報
【特許文献２】
特開２００２―１０７４６２号公報
【特許文献３】
特開２００３―０３０７６６号公報
【特許文献４】
特開２００２―３０５６０２号公報
【特許文献５】
特開平１０―３３４０７８号公報
【特許文献６】
特開２００１―１１１９４２号公報
【特許文献７】
特開２０００―１８１８１４号公報
【特許文献８】
特開２０００―３２２４８２号公報
【００１１】
【発明が解決しようとする課題】
上記の従来の装置を組み合わせることによって、災害に際して事前に決めた対策マニュアルの該当部分の提示を行うことはできた。しかしながら、従来装置において、災害関連情報を収集しようとすると、ユーザは、例えば災害に際して必要となる情報要求項目を、入力しなければならない。あるいは、災害に際して要求される可能性のある情報要求項目の組合せを、予め従来装置に蓄積しておき、ユーザに情報要求項目の組合せの絞込みを行わせる機能を用意しなければならない。このため、ユーザが適切な情報要求を出して適切な情報を選択表示できるよう訓練を施すか、あるいは、テンプレートを災害の種類と地域とに応じて大量に用意する必要があるという問題点があった。
【００１２】
この発明はかかる問題点を解決するためになされたものであり、災害の種類が多い場合にも対応可能で、災害時には、当該災害の通報に基づき、該当する災害原因および地域のパターンの組合せによって、ユーザに適切な範囲の情報を提供する災害情報管理装置を得る事を目的としている。
【００１３】
【課題を解決するための手段】
この発明は、災害情報が入力されて、前記災害情報に時刻情報を追加した災害通報を作成する現況収集部と、前記現況収集部からの前記災害通報を蓄積し、災害原因および災害発生地域を含むトリガー信号を出力する災害現況データベース部と、既往災害に関する情報を記録した既往災害データベースと、想定される災害に関する予測情報を記録した災害予測データベースとを備えた災害データベース部と、平時の情報を記録した平時現況データベース部と、表示パターンおよび検索パターンを災害原因および災害発生地域と対応づけて蓄積し、前記災害現況データベース部からの前記トリガー信号を受け付けて、前記トリガー信号に含まれている災害原因および災害発生地域の情報に基づいて表示パターンおよび検索パターンを選択して、当該表示パターンおよび当該検索パターンを出力するパターン蓄積部と、前記パターン蓄積部から出力された前記検索パターンを受け付けて、前記検索パターンに含まれる検索条件を用いて、前記災害現況データベース部、前記災害データベース部および前記平時現況データベース部から検索結果を獲得するとともに、前記検索パターンと前記検索結果とを対応させて蓄積し、前記検索結果を災害関連情報として送付する検索部と、前記検索部からの前記災害関連情報を受け付けるとともに、前記パターン蓄積部からの表示パターンを受け付けて、前記災害関連情報を前記表示パターンに従って表示する災害表示部とを備えた災害情報管理装置である。
【００１４】
【発明の実施の形態】
実施の形態１．
図１は、この発明の実施の形態１に係る災害情報管理装置の構成を示したものである。この発明の災害情報管理装置は、災害の種類は多くても、表示すべき情報には共通な部分が多いことに着目し、災害原因や地域ごとの検索パターンおよび表示パターンを事前に整理して後述するパターン蓄積部７に用意しておき、災害の通報に基づいて、該当する災害原因および地域の検索パターン・表示パターンを自動的にパターン蓄積部７から選択して組み合わせることにより、適切な範囲の情報を自動的に提供できるようにしたものである。本実施の形態に係る災害情報管理装置には、図１に示すように、ユーザに対して災害関連情報を所定の表示パターンに従って提示する災害表示部１が設けられている。災害表示部１には、検索部２が接続されている。検索部２は、所定の検索パターンが含む検索条件を用いて、災害現況データベース部３、災害データベース部４および平時現況データベース部５から、災害表示部１が表示するための災害関連情報を検索する。災害現況データベース部３は、後述する現況収集部６からの災害通報を蓄積し、後述するパターン蓄積部７に災害原因および災害発生地域を含む情報をトリガー信号として送付する。災害データベース部４は、既往災害に関する情報を記録した既往災害データベースと、想定される災害に関する予測情報を記録した災害予測データベースとを備え、検索部２から検索条件を受け付けて、これら２つのデータベースを検索し、検索結果を検索部２へ送付する。平時現況データベース５は、平時の住民もしくは産業に関する情報を記録したデータベースを備え、検索部２から検索条件を受け付けて、当該データベースを検索し、検索結果を検索部２へ送付する。災害現況データベース３には、現況収集部６およびパターン蓄積部７が接続されている。当該現況収集部６は、災害時に災害情報を受け付け、当該災害情報に、時刻、通報者、通報地点を補った災害通報を作成して、災害現況データベース部３に送付する。パターン蓄積部７は、図２に示すような表示パターンおよび図３に示すような検索パターンを、災害原因・地域と対応づけて予め蓄積しておき、災害現況データベース部３から災害原因・災害発生地域の情報を含むトリガー信号を受け付けて、当該トリガー信号に基づいて表示パターンおよび検索パターンを選択して、当該表示パターンを災害表示部１へ、当該検索パターンを検索部２へそれぞれ送付する。
【００１５】
次に、動作について説明する。
【００１６】
（災害表示部）
まず、はじめに、災害表示部１について説明する。災害情報が現況収集部６に到来すると、災害表示部１は、検索部２から入力される災害関連情報、および、パターン蓄積部７から入力される該災害関連情報を表示するための表示パターンを受け付けて、ユーザに対して、災害関連情報をその表示パターンに従って提示する。
【００１７】
図２は、表示パターンについて説明した図である。表示パターンは、表示フレームにおいて災害関連情報を表示する形式を指定するものである。表示フレームは例えば、基準面４１と、時刻管理４２と、情報面群４３からなる。基準面４１は表示の位置や表示スケジュールを指定するためのもので、例えば、地図を表示する地図エリア、統計情報を表示する統計エリア、ならびに、画像を表示する画像エリアというような複数の枠からなる表示単位で構成され、各表示単位には表示スケジュールを保持することができる。時刻管理４２は表示中の災害関連情報の時刻あるいは時刻域を保持する。情報面群４３は、検索パターンの検索単位に対応した情報面から構成される。各情報面では、上記表示単位に表示する災害関連情報と、表示密度分布を保持する。検索単位には、例えば、既往災害・災害予測・平時状況・被害状況・原因状況・対策状況などがある。表示密度分布とは、表示区域毎の情報量、例えばアイコンや数値の数を指定したものを指す。全域で表示密度分布が０となった情報面は表示されなくなる。各情報面は、表示密度分布を与えると、情報が取捨選択され、適切な量だけ表示する機能を持つ。また、各情報面は基準面４１の拡大・縮小表示と同期してその表示を変更する仕組みを持つ。また、各情報面は、時刻管理４２の表示時刻あるいは時刻幅の変更と同期してその表示を変更する仕組みを持つ。例えば基準面４１において地図の表示範囲が１０倍に拡大すれば、それに応じて、例えば原因状況を示す情報面の情報表示も上記範囲に変更され、指定された表示密度分布に従って表示される。また例えば、表示時刻が３時間後の１０分間へと変更されれば、それに応じて、例えば原因状況を示す情報面の情報表示も該時刻範囲に変更され、指定された表示密度分布に従って表示される。
【００１８】
表示パターンは、基準面の表示内容、時刻管理の表示時刻、各情報面の表示密度分布からなる。例えば、岩木山周辺の地図を基準面に割当て、対象の表示時刻を２００３年２月２１日の１１時４５分から１２時とし、原因状況面に溶岩流を表示することとして、岩木山頂付近一帯に表示密度を割当て、災害予測面に岩木山ハザードマップを表示することとして、ハザードマップに該当する範囲に表示密度を割当てたものがひとつの表示パターンを構成する。該表示パターンによって、対象の表示時刻における熔岩流の範囲と、表示時刻以後の溶岩流範囲予測を一覧できる。
【００１９】
災害表示部１は、また、ユーザから検索条件および表示形式の指定を伴う情報要求を受け付け、検索部２に検索条件を送付して検索させ、結果を獲得して、上記指定表示形式で表示する。
【００２０】
（検索部）
次に、検索部２について説明する。現況収集部６に災害情報が到来すると、検索部２は、パターン蓄積部７から検索パターンを受け付けて、災害現況データベース部３、災害データベース部４、平時現況データベース部５に、上記検索パターンに含まれる検索条件を送付し、当該検索条件に基づいた検索結果を獲得し、上記検索パターンと上記検索結果とを対応させて蓄積し、上記検索結果を災害表示部１へ災害関連情報として送付する。
【００２１】
また、上記検索パターンに従って更新通知要求を災害現況データベース部３に送付し、上記検索パターンによって獲得した検索結果に関して更新があれば更新通知が来るように設定する。
【００２２】
図３は検索パターンについて説明した図である。検索パターンとは、原因状況や地域に応じて準備される検索条件の集合であり、表示パターンの情報面との対応を持つ。図３において、検索パターン３１は、平時現況データベース部３と災害データベース部４に対する検索パターンの枠組を示す。検索パターン３２は、災害現況データベース部５に対する検索パターンの枠組を示す。検索結果は、対応する表示パターン情報面に割当てられる。
【００２３】
検索パターン３１は、地域を絞って検索する平時状況用・災害予測用・既往災害用の各検索パターンの枠組例と、平時状況の情報属性の例として住民状況、重要施設状況、産業状況の下のそれぞれ想定できるものを列挙している。すなわち、住民状況の情報属性の例としては、人口や住宅があり、重要施設状況の情報属性の例としては、危険施設、行政施設、道路・鉄道、送電・ガス、電話・携帯基地局などがあり、産業状況の情報属性の例としては、生産高、土地利用などがある。検索結果は地域と上記情報属性の属性値との組で保持される。平時状況用検索パターンには、地域を条件として平時現況データベースを検索するための検索文が備わる。検索結果には例えば、住民状況・重要施設状況・産業状況などが含まれる。上記検索結果は、表示パターンのうち平時状況の情報面に割当てられる。
【００２４】
検索パターン３２は、地域と時刻域を絞って検索する被害状況用・原因状況用・対策状況用の各検索パターンの枠組例と、それぞれの情報属性の例を列挙している。被害状況の情報属性の例としては、住民被害（死者、不明者、負傷者、避難）、家屋被害（全壊、半壊、避難（世帯））、重要施設被害（危険施設、行政施設、物資輸送、エネルギー搬送、情報伝送）、産業被害（被害額、被害面積）などがある。原因状況の情報属性の例としては、自然災害（地震（地震位置、規模、震度分布、余震履歴、断層位置、崖崩れ）、山火事、津波（津波地域、波高分布）、台風（中心位置、中心気圧、風速分布、雨量分布、航跡）、噴火（噴火位置、噴煙高、火砕流、噴石飛来、降灰）、洪水（決壊位置、浸水範囲、雨量分布））、事故（都市火災、交通）、周辺（気象）などがある。対策状況の情報属性の例としては、消防、警察、地方行政、公共企業などがある。検索結果は地域・時刻域と上記情報属性の属性値との組で保持される。被害状況用検索パターンには、地域および時刻域を条件として災害現況データベースを検索するために検索文が備わる。その検索結果には例えば、住民被害・家屋被害・重要施設被害・産業被害などが含まれる。上記検索結果は、表示パターンのうち被害状況の情報面に割当てられる。
【００２５】
検索部２はまた、災害表示部１から検索条件を受け付け、災害現況データベース部３、災害データベース部４、平時現況データベース部５にそれぞれ検索させ、検索結果を獲得して、災害表示部１へ送付する。
【００２６】
（災害現況データベース部）
次に、災害現況データベース部３について説明する。現況収集部６に災害情報が到来すると、災害現況データベース部３は、現況収集部６からの災害通報を順次蓄積し、パターン蓄積部７に災害原因および地域を含むトリガー信号を送付する。
【００２７】
図４は、図１における災害現況データベース部３と現況収集部６との関係を示した図である。図４において、現況収集部６からは、時刻・通報者・通報地点・情報からなる災害通報が災害現況データベース部３に送付され、そこに蓄積される。ここで、情報の媒体は例えば、ＦＡＸイメージ、電子メール本体、電話録音などである。上記災害通報の情報は、所定の規則に従って解析され、検索可能な属性値が抽出される。
【００２８】
図４のブロック２１は、災害現況データベース部３に蓄積される災害通報の詳細の一例を説明している。災害通報が、避難所通報と解析されれば、例えば、通報者および通報地点は避難所として、情報は収容した人数として解釈される。また、災害通報が病院通報であれば、例えば、通報者および通報地点は病院として、情報は収容した患者数として解釈される。また、災害通報が原因状況通報であれば、例えば、通報地点は原因地点として、情報は原因状況として解釈される。また、災害通報が対策人員派遣通報であれば、例えば、通報者および通報地点は派遣元として、情報は派遣先と派遣人数として解釈される。解析の結果、災害通報が原因状況通報であれば、災害原因を抽出し、通報地点との組をトリガー信号とする。それ以外であれば、通報地点のみをトリガー信号とする。例えば、通報者が避難所に属する災害通報で、情報が所与の書式に基づいたＦＡＸイメージであって、ＦＡＸ内容から避難人数が抽出できた場合、時刻・避難所・避難人数からなる災害通報を作成し、元のＦＡＸイメージを持つ災害通報とは別の災害通報として蓄積し、地点をトリガー信号として図１のパターン蓄積部７に送付する。また、例えば、通報者が消防庁で、情報が所与の形式に基づいた音声であって、音声から原因が抽出できた場合、時刻・通報者・原因地点・原因状況からなる災害通報を作成して蓄積し、地点と原因状況の組をトリガー信号としてパターン蓄積部７に送付する。
【００２９】
災害現況データベース部３はまた、検索部２から指定された更新通知要求に従って選択された災害通報を、更新通知として検索部２に送付する。
【００３０】
災害現況データベース部３はまた、検索部２から検索条件を受け付けて、災害通報が蓄積されている自身のデータベースを検索し、検索結果を検索部２へ送付する。
【００３１】
（災害データベース部）
次に、災害データベース部４について説明する。災害データベース部４は、少なくとも、既往災害に関する情報を記録した既往災害データベースと、例えば、ハザードマップなど災害に関する予測情報を記録した災害予測データベースとを備え、検索部２から検索条件を受け付けて、当該既往災害データベースおよび災害予測データベースを検索し、結果を検索部２へ送付する。
【００３２】
図５は、災害データベース部４の一例を説明した図である。災害データベース部４には、既往災害データベースと災害予測データベースが備わり、それぞれ総括レコードと詳細レコードが蓄積される。ブロック５１は、既往災害・災害予測総括レコードおよび既往災害・予測災害詳細レコードを説明している。総括レコードは名称・日時・場所・情報からなり、ここで情報の媒体としては画像、地図、動画像、ストリームへのリンクなどがある。詳細レコードは、名称・日時・場所・キーワードからなる。ここでキーワードとは、上記情報から抽出して列挙したものである。また、キーワード検索用の概念階層と、日時検索用の概念規則を備えている。図５には、また、キーワード検索用の概念階層例５２が示されている。概念階層例５２では、火災の下位概念にはビル火災、都市火災、森林火災があって、その下位概念として個々の既往火災災害の名称がある。また、図５には、概念規則例５３が示されている。概念規則例５３では、時刻と朝・昼・夜（晩／深夜）の関係あるいは日時と四季（春、梅雨、夏、秋、冬）の関係が示されている。
【００３３】
（平時現況ＤＢ部）
次に、平時現況データベース部５について説明する。平時現況ＤＢ部５は、少なくとも住民および産業に関する地域分布を記録した地域分布データベースを備え、検索部２から検索条件を受け付けて、当該地域分布データベースを検索し、結果を検索部２へ送付する。また、例えば、気象情報などの外部情報をインターネット等の通信網等を介して受け付けて蓄積する外部情報取得・蓄積手段を持つ。また、所定の外部情報と検索パターンとを関連させて保持することにより、該外部情報を蓄積せずに、必要に応じて該検索パターンを用いて該外部情報への検索を行う外部情報検索手段を有している。
【００３４】
図６は、平時現況データベース部５の一例を説明した図である。平時現況データベース部５には、地域情報レコードが蓄積される。地域情報レコードは、地名、属性名、データからなる。ブロック６１は地名に関して用意される地域階層の例を説明している。ブロック６１は青森県の例を中心に示した地域階層の例で、東北地方から青森市までの集計や細分化が可能となっている。ブロック６２は属性に関して用意される産業階層の例を説明している。産業階層の概念としては、例えば、農業、林業、水産業、鉱業、家屋価値、人口などがある。ブロック６２は産業分野別の生産高を想定した例を中心に示している。特に、農業を例として記載しており、属性名として、米、穀類、野菜、飼料、果樹などがある。ブロック６３は、データに関して用意される概念階層の例を説明している。概念が農業であれば、データ形式は、例えば、耕作面積、収穫高、従事者数等からなり、概念が漁業であれば、データ形式は、例えば、漁獲高、従事者数等からなる。ブロック６３は概念ごとにデータ形式が用意されること、該データ形式を参照しての検索が可能となることを示している。
【００３５】
（現況収集部）
次に、現況収集部６について説明する。情報源から現況収集部６に災害情報が到来すると、現況収集部６は、該災害情報を受け付け、時刻、通報者、通報地点を補った災害通報を作成し、災害現況データベース部３に送付する。例えば、電話による災害情報を受け付けると、送信者電話番号から推定可能な通報者および通報地点と、受信時刻と、電話録音とから災害通報を作成する。また、情報源へのアクセス手段を記述する手段を持つことにより、災害情報から災害通報へ変換する際に、欠落が検出された場合に、該欠落を補足する欠落補足手段として上記アクセス手段を提示することができる。すなわち、電話による災害情報である場合には、アクセス手段は送信者電話番号になるので、当該送信者電話番号を提示する。
【００３６】
現況収集部６はまた、災害情報をもとに、ユーザが解釈して作成した災害通報を受け付けて、災害現況データベース部３に送付する。
【００３７】
（パターン蓄積部）
次に、パターン蓄積部７について説明する。パターン蓄積部７は、表示パターンおよび検索パターンと原因・地域との対応づけを予め蓄積しており、現況収集部６に災害情報が到来すると、災害現況データベース部３から災害原因および災害発生地域の情報を含むトリガー信号を受け付けて、表示パターンおよび検索パターンを当該トリガー信号に基づいて選択し、選択した表示パターンを災害表示部１へ、検索パターンを検索部２へ、それぞれ、送付する。例えば、災害現況データベース部３から青森市での森林火災というトリガー信号を受け付けて、森林火災に対応する表示パターンを選択して災害表示部１へ、また、青森市という地域ならびに上記表示パターンに対応する検索パターンを選択して検索部２へ、それぞれ、送付する。ここで、表示パターンは、例えば、通常は平時状況を地図および統計表として表示し、原因状況が更新されるたびにアラームを出し、原因状況を地図および画像エリアに表示するよう指定したものなどが想定される。またここで検索パターンは例えば、青森市周辺の平時状況を検索し、原因状況を検索し更新通知要求を出すようなものなどが想定される。
【００３８】
（動作：自動表示）
図７は、災害情報が到来した際に情報を自動表示する動作を説明した図である。図７に示すように、まずはじめに、災害情報受領ステップＳ１１では、現況収集部６において、災害情報を受領し、時刻、通報者、通報地点を補った災害通報を作成し、災害現況データベース部３において、上記災害通報を蓄積し、パターン蓄積部７に災害原因および地域を含むトリガー信号を送付する。
【００３９】
次に、パターン自動選択ステップＳ１２では、パターン蓄積部７において、災害現況データベース部３からのトリガー信号を受け付けて、蓄積されている表示パターン・検索パターンと原因・地域との対応を参照し、該当する表示パターンを災害表示部１へ、検索パターンを検索部２へそれぞれ送付する。
【００４０】
次に、表示ステップＳ１３では、検索部２において、パターン蓄積部７からの検索パターンを受け付け、災害現況データベース部３、災害データベース部４、平時現況データベース部５に上記検索パターンに含まれる検索条件を送付し、検索結果を獲得し、上記検索パターンと上記検索結果とを対応させて蓄積し、上記検索結果を災害表示部１へ災害関連情報として送付する。災害表示部１においては、上記災害関連情報と、パターン蓄積部７からの表示パターンを受け付け、ユーザに上記災害関連情報を上記表示パターンに従って提示する。
【００４１】
以上のように、本実施の形態に係る災害情報管理装置は、災害の種類は多くても表示すべき情報には共通な部分が多いことに着目し、災害原因や地域ごとの検索パターン・表示パターンを事前に整理してシステムに組み込み、災害の通報に基づいて、該当する災害原因および地域の検索・表示パターンを選択して、それらの組合せによって、ユーザに適切な範囲の情報を可能な限り自動的に提供するようにした。具体的には、上述したように、現況収集部６に到来した災害情報を整形して災害現況データベース部３に蓄積し、災害原因および災害発生地域を当該災害情報から抽出して作成したトリガー信号をパターン蓄積部７に送付し、パターン蓄積部７で受け付けた上記トリガー信号に対応する表示パターンおよび検索パターンを選択して、該表示パターンを災害表示部１へ、該検索パターンを検索部２へ、それぞれ、送付し、上記検索パターンに含まれる検索条件をもって災害現況データベース部３、災害データベース部４、平時現況データベース部５で検索を実施し、上記表示パターンに従って、災害表示部１がユーザに上記災害関連情報を提示するようにしたので、災害の通報に基づいて、該当する災害原因および災害発生地域の検索・表示パターンをパターン蓄積部７から自動的に選択して組合せ、それに基づいて、検索・表示を実施するようにしたので、ユーザに適切な範囲の情報を自動的に提供することができ、訓練を経ないユーザでも災害情報の管理業務を実施することができる。
【００４２】
なお、上述の説明においては、平時現況データベース５が住民および産業に関する地域分布を記録したデータベースを有している例について説明したが、その場合に限らず、平時現況データベース部５において、蓄積していない外部情報に対する検索機能を持つようにしてもよく、その場合には、外部情報を蓄積せずに、オンデマンドで外部情報の検索を行うことができ、平時現況データベース５の容量を削減できるとともに、より現在に近い情報を提供できる。
【００４３】
また、現況収集部６において、災害情報に欠落があった場合に、該欠落を検出して、情報を補足するための情報補足手段を有するようにしてもよく、その場合には、訓練を経ないユーザでも、災害情報の欠落を検出して補足を自動的に補うことができ、災害情報の管理業務を実施することができる。
【００４４】
【発明の効果】
この発明は、災害情報が入力されて、前記災害情報に時刻情報を追加した災害通報を作成する現況収集部と、前記現況収集部からの前記災害通報を蓄積し、災害原因および災害発生地域を含むトリガー信号を出力する災害現況データベース部と、既往災害に関する情報を記録した既往災害データベースと、想定される災害に関する予測情報を記録した災害予測データベースとを備えた災害データベース部と、平時の情報を記録した平時現況データベース部と、表示パターンおよび検索パターンを災害原因および災害発生地域と対応づけて蓄積し、前記災害現況データベース部からの前記トリガー信号を受け付けて、前記トリガー信号に含まれている災害原因および災害発生地域の情報に基づいて表示パターンおよび検索パターンを選択して、当該表示パターンおよび当該検索パターンを出力するパターン蓄積部と、前記パターン蓄積部から出力された前記検索パターンを受け付けて、前記検索パターンに含まれる検索条件を用いて、前記災害現況データベース部、前記災害データベース部および前記平時現況データベース部から検索結果を獲得するとともに、前記検索パターンと前記検索結果とを対応させて蓄積し、前記検索結果を災害関連情報として送付する検索部と、前記検索部からの前記災害関連情報を受け付けるとともに、前記パターン蓄積部からの表示パターンを受け付けて、前記災害関連情報を前記表示パターンに従って表示する災害表示部とを備えた災害情報管理装置であるので、災害の種類が多い場合にも対応可能で、災害時には、当該災害の通報に基づき、該当する災害原因および災害発生地域のパターンの組合せによって、ユーザに適切な範囲の情報を提供する。
【図面の簡単な説明】
【図１】この発明の実施の形態１に係る災害情報管理装置の構成を示したブロック図である。
【図２】この発明の実施の形態１に係る災害情報管理装置の表示パターンの説明図である。
【図３】この発明の実施の形態１に係る災害情報管理装置の検索パターンの説明図である。
【図４】この発明の実施の形態１に係る災害情報管理装置の現況収集部および災害現況データベース部の説明図である。
【図５】この発明の実施の形態１に係る災害情報管理装置の災害データベース部の説明図である。
【図６】この発明の実施の形態１に係る災害情報管理装置の平時現況データベース部の説明図である。
【図７】この発明の実施の形態１に係る災害情報管理装置の災害情報到来時の動作を示した流れ図である。
【符号の説明】
１  災害表示部、２  検索部、３  災害現況データベース部、４  災害データベース部、５  平時現況データベース部、６  現況収集部、７  パターン蓄積部。
【図１】
2005031772.tif 000003
【図２】
2005031772.tif 000004
【図３】
2005031772.tif 000005
【図４】
2005031772.tif 000006
【図５】
2005031772.tif 000007
【図６】
2005031772.tif 000008
【図７】
2005031772.tif 000009